(57)【特許請求の範囲】
【請求項１】
ディスクが対向される対向面を有するガイド体と、
このガイド体の対向面との間に前記ディスクを挟持して搬送するローディングローラと、
前記ガイド体の対向面に設けられ、前記ローディングローラのディスク搬送方向の両側でかつディスク搬送方向に沿ったディスク搬送中心を中心とする両側に、ローディングローラのディスク搬送中心位置から略放射方向に突出されるとともにディスク搬送中心側より両側の外端側の突出高さが高く、ディスクの周縁部が当接するガイド突部と
を具備し、
前記ガイド突部は、ディスク搬送方向と交差する両側に配置される径小ディスク用のガイド突部と、これら径小用ディスク用のガイド突部の外側に配置される径大ディスク用のガイド突部を有し、径小ディスク用のガイド突部より径大ディスク用のガイド突部の外端側の突出高さが高く設けられている
ことを特徴とするディスクローディング装置。
【請求項２】
両側のガイド突部の外端間の幅は、ディスクの直径より大きく設けられている
ことを特徴とする請求項１記載のディスクローディング装置。
【請求項３】
ガイド突部は、断面略三角形で、ディスクの周縁部が当接する角部を有している
ことを特徴とする請求項１または２記載のディスクローディング装置。
【発明の詳細な説明】
【０００１】
【発明の属する技術分野】
本発明は、ガイド体とローディングローラとの間にディスクを挟持して搬送するディスクローディング装置に関する。
【０００２】
【従来の技術】
従来、例えば、音楽再生用のコンパクトディスクなどのディスクプレーヤでは、特開平３−２９６９６２号公報に記載されているように、ガイド体（以下トップガイドという）とローディングローラとの間にディスクを挟持して搬送するディスクローディング装置を備えている。
【０００３】
トップガイドには、１２ｃｍディスクなどの径大ディスクを案内するための水平面と、８ｃｍディスクなど径小ディスクを案内するための傾斜面が設けられている。
【０００４】
そして、径小ディスクのローディング時には、この径小ディスクがトップガイドの傾斜面で案内されて挿入角度が略水平方向に対して上向きに搬送され、チャックアームにトップガイドの傾斜角度に対応して設けられた径小ディスクストッパピンに当接して径小ディスクの中心がターンテーブルの中心軸上に位置決めされる。
【０００５】
また、径大ディスクのローディング時には、この径大ディスクがトップガイドの水平面で案内されて略水平に搬送され、チャックアームに設けられた径小ディスクストッパピンへの当接が回避されて、チャックアーム回動中心付近に設けられた径大ディスクストッパピンに当接して径大ディスクの中心がターンテーブル中心軸上に位置決めされる。
【０００６】
【発明が解決しようとする課題】
しかしながら、従来の構成では、トップガイドの水平面および傾斜面でディスクを案内するので、トップガイドとディスクとが面接触した状態で摺動し、ディスク面に傷が付きやすい問題がある。特に、挨などがディスク面に付着したままローディングした場合、トップガイドとディスク面との間に挨が挟まり、ディスク面に引っ掻き傷が付く原因となりやすい。
【０００７】
本発明は、このような点に鑑みなされたもので、ディスク面に傷が付くのを防止できるディスクローディング装置を提供することを目的とする。
【０００８】
【課題を解決するための手段】
請求項１記載のディスクローディング装置は、ディスクが対向される対向面を有するガイド体と、このガイド体の対向面との間に前記ディスクを挟持して搬送するローディングローラと、前記ガイド体の対向面に設けられ、前記ローディングローラのディスク搬送方向の両側でかつディスク搬送方向に沿ったディスク搬送中心を中心とする両側に、ローディングローラのディスク搬送中心位置から略放射方向に突出されるとともにディスク搬送中心側より両側の外端側の突出高さが高く、ディスクの周縁部が当接するガイド突部とを具備し、前記ガイド突部は、ディスク搬送方向と交差する両側に配置される径小ディスク用のガイド突部と、これら径小用ディスク用のガイド突部の外側に配置される径大ディスク用のガイド突部を有し、径小ディスク用のガイド突部より径大ディスク用のガイド突部の外端側の突出高さが高く設けられているものである。
【０００９】
そして、ガイド体の対向面であって、ローディングローラのディスク搬送方向の両側でかつディスク搬送方向に沿ったディスク搬送中心を中心とする両側に、ローディングローラのディスク搬送中心位置から略放射方向に突出されるとともにディスク搬送中心側より両側の外端側の突出高さが高いガイド突部を設けたことにより、このガイド体とローディングローラとの間に挟持されて搬送されるディスクはそのディスクの周縁部がガイド突部に当接しながら搬送され、ディスク面がガイド体に接触することがなく、ディスク面に傷が付くのが確実に防止される。しかも、ガイド突部が、ディスク搬送方向と交差する両側に配置される径小ディスク用のガイド突部と、これら径小用ディスク用のガイド突部の外側に配置される径大ディスク用のガイド突部を有し、径小ディスク用のガイド突部より径大ディスク用のガイド突部の外端側の突出高さが高く設けられていることにより、径小ディスクおよび径大ディスクとも、それぞれ周縁部が対応するガイド突部に当接し、ディスク面に傷が付くことなく搬送される。
【００１０】
請求項２記載のディスクローディング装置は、請求項１記載のディスクローディング装置において、両側のガイド突部の外端間の幅は、ディスクの直径より大きく設けられているものである。
【００１１】
そして、両側のガイド突部の外端間の幅が、ディスクの直径より大きく設けられることにより、ガイド突部に接触するディスクの部分がディスクの周縁部のみとなり、ディスク面に傷が付くことなく搬送される。
【００１２】
請求項３記載のディスクローディング装置は、請求項１または２記載のディスクローディング装置において、ガイド突部は、断面略三角形で、ディスクの周縁部が当接する角部を有しているものである。
【００１３】
そして、ガイド突部が、断面略三角形で、ディスクの周縁部が当接する角部を有していることにより、ガイド突部とディスクの周縁部との接触が点接触となり、ディスクがスムーズに搬送される。
【００１４】
【発明の実施の形態】
以下、本発明の一実施の形態を図面を参照して説明する。
【００１５】
本実施の形態のディスクローディング装置を適用したディスクプレーヤで取り扱うディスクとしては、例えば、音楽再生用のコンパクトディスクであって、１２ｃｍのアルバムタイプである径大ディスクDLと８ｃｍのシングルタイプである径小ディスクDSを例にとって説明する。
【００１６】
図１において、11は本体としてのシャーシで、このシャーシ11の前面にディスクを挿脱する挿入口12が形成されている。シャーシ11の内側には、両側のダンパー13，13および前側のダンパー13によってピックベース14がフローティング状態に支持されている。
【００１７】
ピックベース14は、略四角形の略平板状に形成され、両側後部および両側前部に支持片15，16が上方へ折曲形成され、前側中央に支持片17が下方へ折曲形成されており、両側後部の支持片15および前側中央の支持片17が各ダンパー13に連結されて支持されている。
【００１８】
また、ピックベース14には、ディスク回転駆動機構21、図示しないピックアップ機構、ディスクチャック機構22およびディスクローディング機構23などが配設されている。
【００１９】
ディスク回転駆動機構21は、ピックベース14上の再生位置に回転自在に配置されるターンテーブル26、ピックベース14の下面に取り付けられターンテーブル26を回転駆動するスピンドルモータ27を有している。
【００２０】
また、図示しないピックアップ機構は、ピックベース14上に配設されており、ディスクに記憶された情報を光学的に読み取るピックアップおよびこのピックアップをディスクの径方向へ移動させるピックアップ移動機構を有している。
【００２１】
また、ディスクチャック機構22は、ピックベース14上の後部側に配置されるチャックアーム31を有し、このチャックアーム31の前端中央にターンテーブル26との間にディスクをチャッキングするクランパ32が回転可能に取り付けられている。チャックアーム31の両側後部に取付片33が下方へ折曲形成され、これら両側の取付片33がピックベース14の両側後部の支持片15に支軸34によって回動可能に軸支されており、チャッキング時にチャックアーム31の前端側が下方へ揺動されてディスクがチャッキングされ、チャッキング解除時にチャックアーム31の前端側が上方へ揺動されてディスクのチャッキングが解除される。
【００２２】
チャックアーム31の前端近傍の両側位置には、径小ディスクDSがディスクローディング機構23によってローディングされた場合にその径小ディスクDSを再生位置に停止させる径小ディスク用ストッパ35が取り付けられている。また、チャックアーム31の後部の両側位置には、径大ディスクDLがディスクローディング機構23によってローディングされた場合にその径大ディスクDLを再生位置に停止させる径大ディスク用ストッパ36が取り付けられている。なお、径大ディスクDLは、ディスクローディング機構23により、径小ディスク用ストッパ35の下側を通過して再生位置にローディングされる。
【００２３】
また、ディスクローディング機構23は、挿入口12の上側に配置されてシャーシ11に取り付けられるガイド体としてのトップガイド41、および挿入口12の下側に配置されてトップガイド41との間にディスクを挟持してディスク搬送方向（ローディング方向またはアンローディング方向）に搬送するローディングローラ42を有している。
【００２４】
トップガイド41は、図１および図５に示すように、合成樹脂製で、周縁部にシャーシ11の天板に取り付けられる複数の取付片43が形成されている。
【００２５】
トップガイド41の下面には、ディスクに対向される対向面44が形成されている。この対向面44には、ローディングローラ42のディスク搬送方向に沿ったディスク搬送中心（ディスク搬送中心線）ｘを中心とする両側であって、ローディングローラ42のディスク搬送方向の挿入口12側に対応する位置に、径小ディスク用と径大ディスク用とに共通の両側のガイド突部45が突出形成されているとともに、ローディングローラ42のディスク搬送方向のターンテーブル26側に対応する位置に、両側の径小ディスクDS用のガイド突部46、およびこれら径小用ディスクDS用のガイド突部46の外側に径大ディスクDL用のガイド突部47が突出形成されている。
【００２６】
これらガイド突部45，46，47は、突出断面略三角形で、ディスクの周縁部が当接する角部45a，46a，47aを有し、ローディングローラ42のディスク搬送中心ｘ位置に対して略放射方向に沿って突出されているとともに、ディスク搬送中心ｘ側より両側の外端側の突出高さが高く突出され、しかも、径小ディスクDS用のガイド突部46より径大ディスクDL用のガイド突部47の外端側の突出高さが高く形成されている。さらに、両側の径小ディスクDS用のガイド突部46の外端間の幅は径小ディスクDSの直径より大きく設けられ、両側のガイド突部45の外端間の幅および両側の径大ディスクDL用のガイド突部47の外端間の幅は径大ディスクDLの直径より大きく設けられている。
【００２７】
トップガイド41の対向面44には、ローディングローラ42のディスク搬送方向と交差する軸方向の両側に対応する位置であってガイド突部45とガイド突部46，47との間に、ローディングローラ42との干渉を避けるための凹部48が形成されている。
【００２８】
ローディングローラ42は、例えばゴムローラで、シャフト49が貫通されており、このシャフト49の一端に取り付けられたギヤ50に図示しない駆動機構のモータからの回転駆動力が伝達されてローディング方向またはアンローディング方向に回転される。ローディングローラ42は、軸方向に２分割され、中央側の径が小さく、外端側の径が中央側より大きく形成されている。
【００２９】
ローディングローラ42はアップレバー51によって支持されている。このアップレバー51は、横長に形成され、その両側に取付片52が折曲形成され、これら両側の取付片52間にローディングローラ42のシャフト49が回転自在に軸支され、両側の取付片52がピックベース14の両側前部の支持片16に支軸53によって回動可能に軸支されている。そして、アップレバー51により、チャッキング時にローディングローラ42が下降されてディスクとの離反位置に移動され、チャッキング解除時にローディングローラ42が上昇されてディスクとの接触位置に移動される。
【００３０】
また、チャックアーム31およびアップレバー51は、ディスクのローディング動作に伴って駆動機構からの駆動を受けてスライドされる図示しないスライダのスライド位置に応じて動作される。すなわち、再生位置にローディングされるディスクのチャッキング時に、スライダがチャッキング解除位置からチャッキング位置へ移動することにより、アップレバー51がローディングローラ42の下降方向へ回動されてローディングローラ42がディスクから離反され、チャックアーム31が下方へ回動されてクランパ32でディスクがターンテーブル26に押圧されてチャッキングされ、また、ディスクをアンローディングするチャッキング解除時に、スライダがチャッキング位置からチャッキング解除位置へ移動することにより、チャックアーム31が上方へ回動されてディスクのチャッキングが解除され、アップレバー51がローディングローラ42の上昇方向へ回動されてローディングローラ42がディスクに接触される。
【００３１】
また、図６に示すように、シャーシ11の挿入口12には、挿入口12の左右一側に片寄って挿入されるディスクを中央に寄せて位置決めするディスク位置規制手段61が配設されている。このディスク位置規制手段61は、シャーシ11の天板の裏面側に配置される左右一対のディスクアーム62，63を有し、各ディスクアーム62，63は支軸62a，63aを支点として回動可能に支持されており、挿入口12に臨む端部にディスクの周縁部が接触するピン状のディスク規制部64，65が突設されている。
【００３２】
ディスクアーム62，63間には閉じる方向へ付勢するスプリング66が張設され、右側のディスクアーム63にはガイド溝67が形成され、左側のディスクアーム62にガイド溝67に係合するガイドピン68が突設されている。ガイド溝67の一方の縁部には、図７に示すように、例えば、径小ディスクDSが挿入口12の中央より右寄り位置に挿入されて右側のディスクアーム63が回動された場合に、ガイドピン68が係合して右側のディスクアーム63のそれ以上の回動を規制する係止凹部69が形成されている。同様に、ガイド溝67の他方の縁部には、図８に示すように、例えば、径小ディスクDSが挿入口12の中央より左寄り位置に挿入されて左側のディスクアーム62が回動された場合に、ガイドピン68が係合して左側のディスクアーム62のそれ以上の回動を規制する係止凹部70が形成されている。そして、ディスク（径小ディスクDSおよび径大ディスクDLのいずれも）が挿入口12の中央に挿入されてディスクアーム62，63の両方が略同時に拡開移動された場合に、ガイドピン68がいずれの係止凹部69，70にも係合することなくガイド溝67内を移動し、ディスクの径に応じたディスクアーム62，63の回動が許容される。
【００３３】
次に、ディスクプレーヤの作用を説明する。
【００３４】
まず、図３および図４において、径小ディスクDSのローディング動作について説明する。
【００３５】
径小ディスクDSを挿入口12に挿入することにより、径小ディスクDSは、トップガイド41とローディングローラ42との間に挟み込まれ、図示しない駆動機構のモータによりローディング方向に回転されているローディングローラ42によってシャーシ11内に引き込まれる。
【００３６】
シャーシ11内に引き込まれる径小ディスクDSは、両側のガイド突部45および両側の径小ディスク用のガイド突部46に当接しながら搬送される。これら両側のガイド突部45，46は、ローディングローラ42のディスク搬送中心ｘ位置から略放射方向に突出されるとともにディスク搬送中心ｘ側より両側の外端側の突出高さが高く突出され、さらに、断面略三角形で、径小ディスクDSとの当接部が角部45a，46aであるので、両側のガイド突部45，46に対して径小ディスクDSの周縁部つまりエッジ部分が点接触で当接される。したがって、径小ディスクDSの周縁部の４点が両側のガイド突部45，46に当接しながらローディングローラ42によってローディング方向へ搬送される。そのため、径小ディスクDSのディスク面がガイド突部45，46に接触することがなく、ディスク面に傷が付くのを防止できる。
【００３７】
さらに、両側のガイド突部45，46の外端間の幅が、径小ディスクDSの直径より大きく設けられるので、ガイド突部45，46に接触する径小ディスクDSの部分を径小ディスクDSの周縁部のみにでき、ディスク面に傷が付くことなく搬送できる。
【００３８】
そして、両側の径小ディスク用のガイド突部46はローディングローラ42に接近した導入側である内端側が低く外端側が高いので、シャーシ11内に引き込まれる径小ディスクDSは、徐々にシャーシ11の下方へ押し下げられてクランパ32と接触することを回避され、さらに、シャーシ11内に引き込まれた径小ディスクDSは、径小ディスク用ストッパ35に当接し、ターンテーブル26の中心軸上方に位置決めされる。
【００３９】
また、径小ディスクDSのアンローディング動作は、ローディング動作と逆の動作によって同様になされる。
【００４０】
次に、図７または図８において、径小ディスクDSが挿入口12の右寄せまたは左寄せに挿入された場合について説明する。
【００４１】
図７(a)に示すように、径小ディスクDSが右寄りに挿入されることにより、径小ディスクDSが右側のディスクアーム63のディスク規制部65に当接され、ディスクアーム63が支軸63aを中心に反時計方向に回動する。このとき、左側のディスクアーム62のガイドピン68が右側のディスクアーム63のガイド溝67内を摺動し、径小ディスクDSが挿入可能な幅まで両側のディスクアーム62，63が連動して回動したところで、図７(b)に示すように、左側のディスクアーム62のガイドピン68はガイド溝67の係止凹部69に嵌り込む。よって、両側のディスクアーム62，63は径小ディスクDSの挿入可能幅に回動規制され、図７(c)に示すように、挿入している径小ディスクDSは右側のディスクアーム63のディスク規制部65に挿入方向への移動を規制され、中央寄りに移動する。図７(d)に示すように、径小ディスクDSが半分以上挿入されると、両側のディスクアーム62，63はスプリング66によってディスク規制部64，65が閉じる方向に回動する。
【００４２】
また、図８(a)に示すように、径小ディスクDSが左寄りに挿入されることにより、径小ディスクDSが左側のディスクアーム62のディスク規制部64に当接され、ディスクアーム62が支軸62aを中心に時計方向に回動する。このとき、左側のディスクアーム62のガイドピン68が右側のディスクアーム63のガイド溝67内を摺動し、径小ディスクDSが挿入可能な幅まで両側のディスクアーム62，63が連動して回動したところで、図８(b)に示すように、左側のディスクアーム62のガイドピン68はガイド溝67の係止凹部70に嵌り込む。よって、両側のディスクアーム62，63は径小ディスクDSの挿入可能幅に回動規制され、図８(c)に示すように、挿入している径小ディスクDSは左側のディスクアーム62のディスク規制部64に挿入方向への移動を規制され、中央寄りに移動する。図８(d)に示すように、径小ディスクDSが半分以上挿入されると、両側のディスクアーム62，63はスプリング66によってディスク規制部64，65が閉じる方向に回動する。
【００４３】
よって、径小ディスクDSが左右どちらかに寄った状態で挿入口12に挿入しても、ディスク位置規制手段61で挿入口12の中央に挿入位置を規制できるので、径小ディスクDSの周縁部を両側のガイド突部45，46に必ず当接させることができる。
【００４４】
次に、図１および図２において、径大ディスクDLの挿入時を説明する。
【００４５】
径大ディスクDLを挿入口12に挿入することにより、径大ディスクDLは、トップガイド41とローディングローラ42との間に挟み込まれ、図示しない駆動機構のモータによりローディング方向に回転されているローディングローラ42によってシャーシ11内に引き込まれる。
【００４６】
シャーシ11内に引き込まれる径大ディスクDLは、両側のガイド突部45および両側の径大ディスク用のガイド突部47に当接しながら搬送される。これら両側のガイド突部45，47は、ローディングローラ42のディスク搬送中心ｘ位置から略放射方向に突出されるとともにディスク搬送中心ｘ側より両側の外端側の突出高さが高く突出され、さらに、断面略三角形で、径大ディスクDLとの当接部が角部45a，47aであるので、両側のガイド突部45，47に対して径大ディスクDLの周縁部つまりエッジ部分が点接触で当接される。また、径小ディスクDS用のガイド突部46より径大ディスクDL用のガイド突部47の外端側の突出高さが高く設定されているので、径大ディスクDLの挿入時に、径大ディスクDLの周縁部が径小ディスク用のガイド突部46の導入側に当接した後に径大ディスク用のガイド突部47に移り、径小ディスク用のガイド突部46と当接しなくなる。そのため、径大ディスクDLのディスク面がガイド突部45，46，47に接触することがなく、ディスク面に傷が付くのを防止できる。
【００４７】
さらに、両側のガイド突部45，47の外端間の幅が、径大ディスクDLの直径より大きく設けられるので、ガイド突部45，47に接触する径大ディスクDLの部分を径大ディスクDLの周縁部のみにでき、ディスク面に傷が付くことなく搬送できる。
【００４８】
そして、両側の径大ディスク用のガイド突部47はローディングローラ42に接近した導入側である内端側が低く外端側が高いので、シャーシ11内に引き込まれる径大ディスクDLは、徐々にシャーシ11の下方へ押し下げられてクランパ32と接触することを回避されるとともに、径小ディスク用ストッパ35と接触することを回避され、さらに、シャーシ11内に引き込まれた径大ディスクDLは、径大ディスク用ストッパ36に当接し、ターンテーブル26の中心軸上方に位置決めされる。
【００４９】
また、径大ディスクDLのアンローディング動作は、ローディング動作と逆の動作によって同様になされる。
【００５０】
また、図６に示すように、径大ディスクDLの挿入時のディスク位置規制手段61の回避は、左側のディスクアーム62のガイドピン68が右側のディスクアーム63のガイド溝67の係止凹部69，70に嵌り込んだとしても、さらに径大ディスクDLが両側のディスク規制部64，65を開く方向に回動させるので、ガイドピン68とガイド溝67の係止凹部69，70の嵌り合いは外れて挿入可能になる。
【００５１】
このようにして、径小ディスクDSまたは径大ディスクDLがターンテーブル26の中心軸上方に位置決めされることにより、それを図示しない機構で検知し、チャックアーム31の回動を開始し、クランパ32をターンテーブル26に押圧して径小ディスクDSまたは径大ディスクDLをチャッキングをするとともに、同時にローディングローラ42を径小ディスクDSまたは径大ディスクDLから離間させ、径小ディスクDSまたは径大ディスクDLを再生可能状態とする。
【００５２】
なお、ディスクローディング装置で取り扱うディスクには、音楽用の再生専用のコンパクトディスクに限らず、ＤＶＤなどの光学ディスク、ＭＤなどの光磁気ディスク、フレキシブル磁気ディスクなどにも適用でき、同様の作用効果が得られる。また、駆動装置は、ディスクプレーヤに限らず、ディスクに対して記録可能なディスク記録再生装置にも適用でき、同様の作用効果が得られる。
【００５３】
【発明の効果】
請求項１記載のディスクローディング装置によれば、ガイド体の対向面であって、ローディングローラのディスク搬送方向の両側でかつディスク搬送方向に沿ったディスク搬送中心を中心とする両側に、ローディングローラのディスク搬送中心位置から略放射方向に突出されるとともにディスク搬送中心側より両側の外端側の突出高さが高いガイド突部を設けたので、このガイド体とローディングローラとの間に挟持されて搬送されるディスクはそのディスクの周縁部がガイド突部に当接しながら搬送され、ディスク面がガイド体に接触することがなく、ディスク面に傷が付くのを確実に防止できる。しかも、ガイド突部が、ディスク搬送方向と交差する両側に配置される径小ディスク用のガイド突部と、これら径小用ディスク用のガイド突部の外側に配置される径大ディスク用のガイド突部を有し、径小ディスク用のガイド突部より径大ディスク用のガイド突部の外端側の突出高さが高く設けられているので、径小ディスクおよび径大ディスクとも、それぞれ周縁部が対応するガイド突部に当接し、ディスク面に傷が付くことなく搬送できる。
【００５４】
請求項２記載のディスクローディング装置によれば、請求項１記載のディスクローディング装置の効果に加えて、両側のガイド突部の外端間の幅が、ディスクの直径より大きく設けられるので、ガイド突部に接触するディスクの部分をディスクの周縁部のみにでき、ディスク面に傷が付くことなく搬送できる。
【００５５】
請求項３記載のディスクローディング装置によれば、請求項１または２記載のディスクローディング装置の効果に加えて、ガイド突部が、断面略三角形で、ディスクの周縁部が当接する角部を有しているので、ガイド突部とディスクの周縁部との接触が点接触となり、ディスクをスムーズに搬送できる。
【図面の簡単な説明】
【図１】  本発明の一実施の形態を示すディスクローディング装置を適用したディスクプレーヤにおいて、径大ディスクの搬送途中状態を示し、(a)は平面図、(b)は側面図である。
【図２】  同上ディスクプレーヤにおいて、径大ディスクの位置決め状態を示し、(a)は平面図、(b)は側面図である。
【図３】  同上ディスクプレーヤにおいて、径小ディスクの搬送途中状態を示し、(a)は平面図、(b)は側面図である。
【図４】  同上ディスクプレーヤにおいて、径小ディスクの位置決め状態を示し、(a)は平面図、(b)は側面図である。
【図５】  同上ディスクプレーヤのガイド体の斜視図である。
【図６】  同上ディスクプレーヤの径大ディスクのローディング動作を(a)〜(d)の順に説明する説明図である。
【図７】  同上ディスクプレーヤの径小ディスクが右寄りに挿入された場合のローディング動作を(a)〜(d)の順に説明する説明図である。
【図８】  同上ディスクプレーヤの径小ディスクが左寄りに挿入された場合のローディング動作を(a)〜(d)の順に説明する説明図である。
【符号の説明】
41    ガイド体としてのトップガイド
42    ローディングローラ
44    対向面
45，46，47    ガイド突部
45a，46a，47a     角部
DL    ディスクとしての径大ディスク
DS    ディスクとしての径小ディスク
【図１】
0003953745.tif 000002
【図２】
0003953745.tif 000003
【図３】
0003953745.tif 000004
【図４】
0003953745.tif 000005
【図５】
0003953745.tif 000006
【図６】
0003953745.tif 000007
【図７】
0003953745.tif 000008
【図８】
0003953745.tif 000009